(57)【要約】【課題】弾性のゴム糸をタテ糸方向に織り込む共にタテ糸とヨコ糸との織り組織により部分的に伸縮性を異にした１枚の胛被材及びそれを使用することで、足当たりの防止や履用感を向上させた伸縮性胛被材及びそれを備えた靴の提供することを目的とする。【解決手段】タテ糸方向にゴム糸１１が織り込まれた伸縮性胛被材１０において、履き口縁部Ａを束状ゴム糸１２とし、また甲相当部Ｂではタテ糸がヨコ糸に浮くような織り組織とし、爪先相当部Ｃではヨコ糸及びタテ糸とが浮かないような織り組織とし、それらを連続して１枚の織物に織り込んで部分的に伸縮性を異にして構成した。また、その伸縮性胛被材１０を前半部胛被として裁断しそれを靴に使用した。【選択図】図１
2014147657.tif 000002
【特許請求の範囲】
【請求項１】
タテ糸方向に弾性を有するゴム糸が織り込まれた靴用の伸縮性胛被材において、履き口縁部を束状ゴム糸とし、また甲相当部ではタテ糸をヨコ糸に対して浮きの長さを長くして浮く織り組織とし、爪先相当部ではヨコ糸及びタテ糸とをそれより浮きを少なくした織り組織とし、前記履き口縁部、甲相当部、爪先相当部を連続して１枚に織り込み、部分的に伸縮性を異にしたことを特徴とする靴用の伸縮性胛被材。
【請求項２】
上記ゴム糸は天然ゴム、合成ゴム、又はそれら混合物からなり、またタテ糸及びヨコ糸は合成繊維糸であることを特徴とする請求項１記載の靴用の伸縮性胛被材。
【請求項３】
前記爪先相当部のゴム糸の密度は甲相当部のゴム糸の密度より大にしたことを特徴とする請求項１又は２記載の靴用の伸縮性胛被材。
【請求項４】
前記靴用の伸縮性胛被材を履き口縁部を基準とし所望の胛被前半部形状に裁断し、その胛被のタテ糸方向を靴の横幅方向に一致させて使用したこと特徴とする請求項１乃至３の内いずれか１項であることを特徴とする靴。
【請求項５】
前記靴の甲相当部付近に締め付ける緊締手段を別に設けたことを特徴とする請求項４記載の靴。
【発明の詳細な説明】
【技術分野】
【０００１】本発明は靴用の伸縮性胛被材及びそれを備えた靴に関るものである。
【背景技術】
【０００２】従来、靴において爪先部を外力から保護するため、胛被爪先部に別途ゴムテープなどの爪先補強片を取り付けることが行われている。また、履き口の一部に切り欠きを形成し、そこにゴム糸を織り込んだ伸縮材、所謂胛ゴムを設けた靴の構造は既に知られている。【０００３】例えば、履物用の胛ゴムに関して、実公昭３５−１１０４０号公報で開示されている。この考案は、綿糸なる上布用経糸と下布用経糸との中間に、経ゴム糸を打ち込み搦み糸を上布緯糸及び下布緯糸に絡ませ、表層と裏層の二重組織に織成せるゴム織込布において、履き口部に相当する端縁部に強靭なる経糸条を経ゴム糸に纒絡して打ち込みその内側の適宜幅だけ特に伸縮性に富む大径の経ゴム糸を打ち込み、織成してなるゴム織込布である。（特許文献１）【０００４】また、別の従来技術として、伸縮性を有する織物及びそれを使用した履物に関して、特開平６−２４０５３７号公報で開示されている。この発明は、履物用の織物であって、この履物は長手方向の一方の側縁に形成された直線状縁と、長手方向の他方の側縁に形成されており、履物の使用箇所に対応した一定の周期と波形に形成してある凹凸状縁と、を備え、少なくも前記凹凸状縁にはほつれ防止加工が施されており、長手方向に伸縮性を有する履物用の織物と、その織物を裁断してアッパーとし、このアッパーを履物底に取り付けて履物としたものである。この従来の発明の織物は、長手方向に伸縮性を有するので、この織物を使用することによって足に密着する効果があるとされている。（特許文献２）
【先行技術文献】
【特許文献】
【０００５】
【特許文献１】実公昭３５−１１０４０号公報
【特許文献２】特開平６−２４０５３７号公報
【発明の概要】
【発明が解決しようとする課題】
【０００６】しかしながら、従来の実公昭３５−１１０４０号公報の記載の靴は、胛被の履き口を一部切り欠いた部分ではその内側から胛ゴム（ゴム織込布）が重ね縫いされて取り付けられ靴内側に段差ができるため、それに足が当たって履き心地が良好でなかった。また、従来の特開平６−２４５０３７号公報の記載の靴においても同様に、織物全体が同じ伸縮性の織物であることから、履き口部の弾性による締付け力を高くすると甲部においても強く締め付けられて屈曲が阻害され違和感が生じたりして履き心地が悪くなったりする。一方、甲部の胛被材をこれに合わせて屈曲を阻害しないように柔らかくすると、爪先部においては逆に外力により伸び過ぎて足指の保護に欠けたりして快適な履き心地が得られにくく、従来行われたように別途爪先部に爪先補強片を設ける必要があった。【０００７】本発明は、上記問題点を解決し、タテ糸方向に弾性を有したゴム糸を織り込むと共にタテ糸とヨコ糸との織り組織により部分的に伸縮性を異にした１枚の胛被材及びそれを靴に使用することで、爪先部での外力からの保護、足当たりの防止や履用感を向上させた胛被材及び靴の提供することを目的とする。
【課題を解決するための手段】
【０００８】本発明はタテ糸方向に弾性を有するゴム糸が織り込まれた伸縮性胛被材において、履き口縁部を束状ゴム糸とし、また甲相当部ではタテ糸をヨコ糸に対して浮きの長さを長くした織り組織とし、爪先相当部ではヨコ糸及びタテ糸との浮きが少ない織り組織とし、前記履き口縁部、甲相当部及び爪先相当部を連続して１枚の織物に織り込まれ部分的に伸縮性を異にしたものである。【０００９】また本発明は前記靴用の伸縮性胛被材を履き口縁部を基準とし所望の胛被前半部形状に裁断し、その伸縮性胛被材のタテ糸方向を靴の幅方向に一致させて靴の胛被に使用したものである。
【発明の効果】
【００１０】本発明の靴用の伸縮性胛被材は、部分的に伸縮性の異なる１枚の織物で構成されるため、その爪先部をヨコ糸及びタテ糸との浮きが少ない織り組織に織り込んだ織物にして丈夫に伸びにくくし地合をしっかりさせ外力から指先を保護し、また甲相当部においてはタテ糸をヨコ糸に対して浮きの長さを長くした織り組織に織り込んだ織物にしてタテ糸方向のみを伸び易くして屈曲性を良好にすると共に、履き口縁部においては束状ゴム糸でしっかり締め付けられることで踵抜けが防止される。【００１１】そして、本発明の靴用の伸縮性胛被材は胛被の前半部として使用し靴としたことで、従来の胛被の切り欠きや爪先補強片などの縫着の作業工程などを省くことができるので製造コストを低減でき、しかも前記の通り歩行の際必要とされる機能が発揮できると共に従来胛ゴムにより発生していた靴内の段差がなくなるため、より一層履用感が良好となる効果を有するものである。
【図面の簡単な説明】
【００１２】
【図１】本発明の靴用の伸縮性胛被材の一実施例を示す平面図である。
【図２】図１に示す履き口縁部ＡのＸ−Ｘの断面図である。
【図３】図１に示す甲相当部Ｂの織物組織図とその断面図である。
【図４】図１に示す爪先相当部Ｃの織物組織図とその断面図である。
【図５】図１に示す伸縮性胛被材を靴の胛被前半部として裁断した後、ほどけ防止加工を施した伸縮性胛被である。
【図６】図５に示す伸縮性胛被を使用した靴の斜視図である。
【発明を実施するための形態】
【００１３】以下、本発明の靴用の伸縮性胛被材の実施形態について説明する。伸縮性胛被材１０は図１に示すように弾性を有したゴム糸１１…をタテ糸方向に織り込んだ伸縮性を有した織物とし、その履き口縁部Ａには束状ゴム糸１２…を織り込み、それに隣接した甲相当部Ｂではタテ糸をヨコ糸に対して部分的に連続して長く浮く織り組織とし、またそれに隣接した爪先相当部Ｃではヨコ糸及びタテ糸との浮きが少ない織り組織とした。そして、本発明の靴用の伸縮性胛被材１０は前記履き口縁部Ａ、甲相当部Ｂ、爪先相当部Ｃを連続し各部分の伸縮性を異にした１枚の織物として織り込まれる。
【００１４】上記タテ糸及びヨコ糸は合成繊維糸で形成し、その合成繊維糸の素材はナイロン、ポリエステル、アクリル、ビニロン、ポリウレタン、ポリ塩化ビニル、ポリエチレン、ポリプロピレンなどが使用される。ゴム糸は天然ゴム、合成ゴム、ラテックスなどが使用される。
【００１５】前記履き口縁部Ａは図２に図１の断面ＸーＸを示すように、１本の太さ３０番のゴム糸を複数集合させた束状ゴム１２…からなる。これにより、履き口縁部Ａはその束状ゴム１２…により靴の履き口部をしっかり締め付けることができる。前記束状ゴム１２…の個々のゴム糸は必要に応じてその外周に化繊糸を巻きつけてカバーしてもよい。前記カバーすることで、糸切れや織物から抜けが防止される。
【００１６】前記履き口縁部Ａに隣接した甲相当部Ｂでは、図３に示すようにタテ糸Ｂ１をヨコ糸Ｂ２に部分的に連続して浮く織り組織とし、その織物のタテ糸方向の浮き数を多くすることでヨコ糸との空間が増すのでタテ糸方向に地合が緩み柔らかくなる。これによって、甲相当部では前記織物を足に対して違和感なく密着させることができる。
【００１７】前記タテ糸Ｂ１及びヨコ糸Ｂ２は合成繊維の糸からなり、具体的には織り組織は５枚朱子織りの組織を採用し、ポリエステルフィラメントが使用され、太さは１５０〜１５００デニールが用いられる。この甲相当部Ｂに織り込まれるタテ糸方向のゴム糸１１は１本の太さを３０番としその密度を５〜１０ｍｍ間隔に１本とした。
【００１８】そして、前記甲相当部Ｂに隣接した爪先相当部Ｃでは、図４に示すようにタテ糸Ｃ１をヨコ糸Ｃ２に対して浮きを最小限にして少なくした織り組織とし、織物の地合をしっかりさせることで、タテ糸方向及びヨコ糸方向の伸縮性を少なくなるようにした。これによって、爪先相当部では前記織物によって外力から保護される。
【００１９】前記タテ糸Ｃ１及びヨコ糸Ｃ２は合成繊維の糸からなり、具体的には織り組織としては、平織り又は綾織組織を採用し、ポリエステルフィラメントが使用され、太さは１５０〜１５００デニールが用いられる。この爪先相当部Ｃに織り込まれるタテ糸方向のゴム糸１１…は１本の太さ３０番を用い、その密度を１〜４ｍｍ間隔に１本程度とした。前記爪先相当部Ｃのゴム糸の密度は甲相当部のゴム糸の密度より大に形成したことで、さらに爪先相当部Ｃは地合がしっかりし丈夫となるので一層外力からの保護が図られる。
【００２０】前記構成された靴用の伸縮性胛被材１０は、足の履き口部、甲部、爪先部の夫々に対応し靴として要求される機能が備わった１枚の連続した織物が製織される。
【００２１】また、本発明の伸縮性胛被２０は、図５に示すように前記靴用の伸縮性胛被材１０を履き口縁部を基準とし所望に応じて靴の胛被前半部材に裁断し作成される。また本発明の靴の伸縮性胛被２０は、その裁断された縁がほどけ易いのでその縁に沿って縁テープ２１や網代縫い２２によりほどけ防止加工が施される。
【００２２】その後、この伸縮性胛被２０は靴型に吊り込まれ胛被下周縁部が中底と靴底との間に介在して接着された後、靴底がゴム底であれば接着剤で接着し加硫して製造してもいいし、また一方靴底を射出成形して伸縮性胛被と接着させて靴３０を完成させてもよい。完成した靴３０は図６に示すように伸縮性胛被の甲部付近に別途後半部胛被から延長して形成した面ファスナー着脱自在による緊締バンド３１や紐による緊締手段を設けることでより一層確実に締めることができる。
【実施例】
【００２３】本発明は、弾性を有したゴム糸１１…をタテ糸方向に織り込んだ伸縮性胛被材１０からなり、履き口縁部Ａにおいては太さ３０番のゴム糸を束ねた３本の束状ゴム１２を横に配置し横幅２ｃｍの長さで構成した。束状ゴム糸１２は単数より複数で形成した方が足との接触面積が増えるため履き口部での締め付け力を分散でき、より履き心地を向上させることができる。【００２４】また甲相当部Ｂでは横幅７ｃｍの長さにして太さ３０番のゴム糸１１…を約７．５ｍｍ間隔で複数織り込み、またタテ糸に３００デニールのポリエステルフィラメント、ヨコ糸に太さ６００デニール（３００デニール×２本）のポリエステルフィラメントを用いてタテ糸をヨコ糸に対して連続して５本の長く浮きを設けて朱子織り組織に織り込んで構成した。【００２５】さらに爪先相当部Ｃは横幅９ｃｍの長さにて太さ３０番のゴム糸１１…を約２ｍｍ間隔で複数織り込み、またタテ糸Ｃ１に太さ３００デニールのポリエステルフィラメント、ヨコ糸Ｃ２に太さ６００デニール（３００デニール×２本）のポリエステルフィラメントを用いてタテ糸をヨコ糸に対して１〜２本の浮きを設けて平織り組織に織り込んで構成した。本発明の靴用の伸縮性胛被材１０は前記履き口縁部Ａ、甲相当部Ｂ及び爪先相当部Ｃを隣接させてニードル式織機などで１枚の織物に織り込むことで製造される。【００２６】本発明の靴用の伸縮性胛被材１０は必要に応じて、製造の際、防水加工処理すれば、雨水の靴内への浸入が防止できる。また、本発明は伸縮性胛被材にポリエステルフィラメントを使用することで、不要後リサイクル材料として再利用できる。【００２７】完成した靴用の伸縮性胛被材１０は束状ゴム１２…で履き口を確実に締めることができ、甲部相当部Ｂではタテ糸Ｂ１とヨコ糸Ｂ２との浮きにより地合が緩み織物が柔らかくなり靴の横幅方向に伸縮性を有しているので屈曲し易くなると共に外反母趾にも対応でき足を痛めることが防止される。さらには爪先相当部Ｃではタテ糸Ｃ１とヨコ糸Ｃ２との浮きが甲部相当部より少ないことにより地合がしっかり締め付けられ伸縮性が抑えられた伸縮性胛被材が製造される。【００２８】また、製造された靴用の伸縮性胛被材１０は爪先部をタテ糸方向にゴム糸１１…が間隔を密にして織り込まれているので外力に対し保護されると共に１枚の織物で構成されるので、従来胛ゴムを取り付けの際発生していた靴内の段差がなくなるため履用感が良好となった。【００２９】そして、本発明の靴３０は伸縮性胛被材１０を所望する靴の胛被前半部の形状に裁断して伸縮性胛被２０が作成され、その伸縮性胛被２０はそのタテ糸方向を靴３０の横幅方向に一致させ使用することで靴３０が完成する。その完成した靴３０は、甲相当部において靴の横幅方向の伸縮性を有していることで屈曲を阻害せずに足に密着し前記同様に履用感が良好となる。【００３０】さらに、靴３０はその甲相当部付近に別途面ファスナーで着脱自在となる緊締バンド３１を取り付けたことでより一層甲部を好みに応じて締め付けることができる。本発明の伸縮性胛被２０は靴の長手方向（伸縮性胛被ではヨコ糸方向となる）には伸縮性がほとんど有しないので胛被吊り込みの際しっかり引っ張ることができ製造工程で��靴型への吊り込み作業が容易となる。
【符号の説明】
【００３１】１０  伸縮性胛被材
１１  ゴム糸
１２  束状ゴム
Ａ  履き口縁部
Ｂ  甲相当部  Ｂ１  タテ糸  Ｂ２  ヨコ糸
Ｃ  爪先相当部  Ｃ１  タテ糸  Ｃ２  ヨコ糸
２０  伸縮性胛被
２１  縁テープ
２２  網代縫い
３０  靴
３１  緊締バンド
【図１】
2014147657.tif 000003
【図２】
2014147657.tif 000004
【図３】
2014147657.tif 000005
【図４】
2014147657.tif 000006
【図５】
2014147657.tif 000007
【図６】
2014147657.tif 000008